【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
他の装置が第一の通信を介して読み取り可能な記録領域にデータを記録することができる外部装置の前記記録領域から前記第一の通信を介してデータを受信する第一の通信手段と、
前記第一の通信とは異なる第二の通信を介して前記外部装置と接続することができる第二の通信手段と、
前記第二の通信手段を介して前記外部装置から取得した前記記録領域に記録されているデータに関する情報に基づき、前記外部装置の前記記録領域のデータを書き換えるか否かを判断する判断手段と、
前記判断手段による判断の結果に基づき、前記記録領域のデータを書き換えるべきであることをユーザに通知する通知手段を有する通信装置。
【請求項２】
前記第二の通信が、前記第一の通信を介して前記記録領域からデータを読み取ったことをトリガとして開始された通信である場合、前記通知手段は前記記録領域のデータを書き換えるべきであることをユーザに通知しないことを特徴とする請求項１に記載の通信装置。
【請求項３】
前記記録領域には、前記通信装置と前記外部装置とが前記第二の通信を介して接続するための処理を前記通信装置において開始させるための命令が記録されており、
前記第一の通信を介して前記命令を読み取ったことに応じて、前記外部装置と前記第二の通信を確立するよう制御する制御手段を更に有する請求項１または２に記載の通信装置。
【請求項４】
前記第一の送信手段は前記記録領域に記録されているデータのうち、前記命令を書き換えるための指示を、前記第一の通信を介して前記外部装置に送信する請求項３に記載の通信装置。
【請求項５】
前記第二の送信手段は前記記録領域に記録されているデータのうち、前記命令を書き換えるための指示を、前記第二の通信を介して前記外部装置に送信する請求項３または４に記載の通信装置。
【請求項６】
前記記録領域には、前記通信装置と前記外部装置とが前記第二の通信を介して接続するための通信パラメータが記録されており、前記命令と共に読み取られることを特徴とする請求項３乃至５のいずれか１項に記載の通信装置。
【請求項７】
前記命令は、前記通信装置と前記外部装置とが前記第二の通信を介して接続するための処理を前記制御手段に実行させるアプリケーションを起動するための命令であることを特徴とする請求項３乃至６のいずれか１項に記載の通信装置。
【請求項８】
前記記録領域には、前記命令が起動を指示するアプリケーションの世代を示す情報が記録されており、
前記第二の通信手段は、前記第二の通信を介して、前記記録領域に記録されているデータのうち、前記命令が起動を指示するアプリケーションの世代を示す情報を取得し、
前記判断手段は、前記命令が起動を指示するアプリケーションの世代を示す情報に基づき、前記記録領域のデータを書き換えるか否かを判断することを特徴とする請求項７に記載の通信装置。
【請求項９】
前記第二の通信手段は、前記第二の通信を介して前記外部装置から画像データを受信することを特徴とする請求項１乃至８のいずれか１項に記載の通信装置。
【請求項１０】
被写体を撮像して画像データを生成する手段を更に有し、
前記第二の通信手段は、前記画像データを前記外部装置に前記第二の通信を介して送信することを特徴とする請求項１乃至９のいずれか１項に記載の通信装置。
【請求項１１】
前記判断手段は、前記通信装置が実行するアプリケーションに従って前記判断を行う、ここで、前記判断手段は、前記第二の通信手段を介して前記外部装置から取得した前記記録領域に記録されているデータに関する情報が、前記アプリケーションを前記通信装置に実行させるための情報を含むか否かに基づき、前記外部装置の前記記録領域のデータを書き換えるか否かを判断することを特徴とする請求項１乃至１０のいずれか１項に記載の通信装置。
【請求項１２】
他の装置が第一の通信を介して読み取り可能な記録領域にデータを記録することができる外部装置の前記記録領域から前記第一の通信を介してデータを受信する第一の通信手段と、
前記第一の通信とは異なる第二の通信を介して前記外部装置と接続することができる第二の通信手段と、
前記第二の通信手段を介して前記外部装置から取得した前記記録領域に記録されているデータに関する情報に基づき、前記外部装置の前記記録領域のデータを書き換えるか否かを判断する判断手段とを有し、
前記第二の通信手段は、前記判断手段による判断の結果に基づき、前記記録領域のデータの書き換えを指示するための信号を、前記第二の通信を介して前記外部装置に送信することを特徴とする通信装置。
【請求項１３】
通信装置であって、
通信装置を制御する制御手段と、
他の装置が第一の通信を介して読み取り可能な記録領域にデータを記録することができる外部装置の前記記録領域から前記第一の通信を介してデータを受信する第一の通信手段と、
前記制御手段が実行するアプリケーションに従って、前記第一の通信とは異なる第二の通信を介して前記外部装置と接続する第二の通信手段とを有し、
前記制御手段は、アプリケーションに従って、
（１）前記制御手段は前記第二の通信手段を介して前記外部装置から取得した前記記録領域に記録されているデータが、前記アプリケーションを実行するための情報を含むか否かを判断し、
（２）前記制御手段は、前記判断手段による判断の結果に基づき、前記アプリケーションを実行するための情報を前記記録領域に記録する指示のための信号を、前記第二の通信手段を介して前記外部装置に送信するよう制御する
ことを特徴とする通信装置。
【請求項１４】
外部から第一の通信を介して読み取り可能な記録領域にデータを記録することができる外部装置と、前記第一の通信とは異なる第二の通信を介して接続することができる通信装置であって、
前記第二の通信を介して、前記記録領域に記録されているデータに関する情報を取得する取得ステップと、
前記取得ステップで取得された前記情報に基づき、前記記録領域のデータを書き換えるか否かを判断する判断ステップと、
前記判断ステップでの判断の結果に基づき、前記記録領域のデータを書き換えるべきであることをユーザに通知する通知ステップとを有する通信装置の制御方法。
【請求項１５】
外部から第一の通信を介して読み取り可能な記録領域にデータを記録することができる外部装置と、前記第一の通信とは異なる第二の通信を介して接続することができる通信装置の制御方法であって、
前記第二の通信を介して、前記記録領域に記録されているデータに関する情報を取得するステップと、
前記情報に基づき、前記記録領域のデータを書き換えるか否かを判断するステップと、
前記判断の結果に基づき、前記記録領域のデータの書き換えを指示するための信号を、前記第二の通信を介して前記外部装置に送信するステップとを有する制御方法。
【請求項１６】
コンピュータを、請求項１乃至１３のいずれか１項に記載の通信装置の各手段として機能させるための、コンピュータが読み取り可能なプログラム。
【手続補正２】
【補正対象書類名】明細書
【補正対象項目名】０００９
【補正方法】変更
【補正の内容】
【０００９】
上記目的を達成するために、本発明の通信装置は、他の装置が第一の通信を介して読み取り可能な記録領域にデータを記録することができる外部装置の前記記録領域から前記第一の通信を介してデータを受信する第一の通信手段と、前記第一の通信とは異なる第二の通信を介して前記外部装置と接続することができる第二の通信手段と、前記第二の通信手段を介して前記外部装置から取得した前記記録領域に記録されているデータに関する情報に基づき、前記外部装置の前記記録領域のデータを書き換えるか否かを判断する判断手段と、前記判断手段による判断の結果に基づき、前記記録領域のデータを書き換えるべきであることをユーザに通知する通知手段を有する。